(57)【要約】【課題】使用可能な任意の端末装置から、紛失または盗難に遭遇した移動通信端末の動作をロックできるようにする。【解決手段】移動通信端末１１０の動作を指定するロック命令を入力し、該ロック命令を含むロック要求を通信網に送信する通信端末１０２と、通信網を介して通信端末１０２からロック要求を受信すると共に、移動通信端末１１０からの定期的な通信である定期通知送信が送信された時には、該定期通知送信に対する応答として、移動通信端末１１０に対するロック命令を含めた定期通知応答を移動通信端末１１０に送信するサーバ１０１と、サーバ１０１から通信網を介して送信された定期通知応答を受信し、該定期通知応答に自己に対するロック命令が含められている場合には、自己の動作を該ロック命令によって指定された状態にする処理を行う移動通信端末１１０とを備える。【選択図】図１
2015015675.tif 000002
【特許請求の範囲】
【請求項１】
移動通信端末の動作を指定するロック命令を入力し、該ロック命令を含むロック要求を通信網に送信する端末装置と、
前記通信網を介して前記端末装置から前記ロック要求を受信すると共に、前記移動通信端末からの定期的な通信である定期通知を受信した時には、該定期通知に対する応答として、前記移動通信端末に対する前記ロック命令を含めた定期通知応答を前記移動通信端末に送信するサーバと、
前記サーバから前記通信網を介して送信された前記定期通知応答を受信し、該定期通知応答に自己に対するロック命令が含められている場合には、自己の動作を該ロック命令によって指定された状態にする処理を行う移動通信端末と
を備えるリモートロックシステム。
【請求項２】
前記ロック命令は、前記移動通信端末の動作を一時停止させる指定を含む
請求項１に記載のリモートロックシステム。
【請求項３】
前記ロック命令は、前記移動通信端末の動作の一時停止状態を解除させる指定を含む
請求項１に記載のリモートロックシステム。
【請求項４】
前記移動通信端末は、該移動通信端末に固有のＩＤ及びパスワードによって前記サーバに特定される
請求項１に記載のリモートロックシステム。
【請求項５】
サーバに、定期的な通信情報である定期通知を、通信網を介して送信すると共に、該定期通知に対する応答である定期通知応答を前記サーバから受信する通信部と、
前記受信した定期通知応答に自己に対するロック命令が含められているか否かを判定すると共に、前記受信した定期通知応答に自己に対するロック命令が含められている場合には、自己の動作を該ロック命令によって指定された状態にする処理を行う処理部と
を備える移動通信端末。
【請求項６】
使用可能な任意の端末装置から、移動通信端末の動作を指定するロック命令を入力し、該ロック命令を含むロック要求を通信網に送信する段階と、
前記通信網に接続されたサーバにおいて、前記ロック要求を受信すると共に、前記移動通信端末からの定期的な通信である定期通知を受信した時には、該定期通知に対する応答として、前記移動通信端末に対する前記ロック命令を含めた定期通知応答を前記移動通信端末に送信する段階と、
前記通信網に接続された移動通信端末において、前記サーバから前記通信網を介して送信された前記定期通知応答を受信し、該定期通知応答に自己に対するロック命令が含められている場合には、自己の動作を該ロック命令によって指定された状態にする処理を行う段階と
を備えるリモートロック方法。
【発明の詳細な説明】
【技術分野】
【０００１】
本発明は、リモートロックシステム、移動通信端末及びリモートロック方法に関する。
【背景技術】
【０００２】
携帯電話の普及率が頭打ちとなり、市場では、機能の充実、多様なサービスの提供に軸足が移りつつある。
【０００３】
このような背景に関連する技術としては、様々なものが知られている（例えば、特許文献１〜５参照。）。
【０００４】
例えば、特許文献１には、発呼禁止、着呼禁止、メモリ呼出禁止等の各種動作を制限するロック機能を有する携帯電話装置が記載されている。より具体的に説明すると、この携帯電話装置は、ロック状態を変更するための着サブアドレスデータ等を入力する。そして、この携帯電話装置は、入力された着サブアドレスデータを記憶する。そして、この携帯電話装置は、記憶されたロック状態を変更する着サブアドレスデータと一致する着サブアドレスが着信時に受信されたとき、ロック状態を変更させる。このようにして、この携帯電話装置によっては、携帯機の紛失時に不正使用を防止することができる。
【０００５】
また、例えば、特許文献２には、通信機能を内蔵し、通信機能によって無線基地局と通信する情報携帯端末装置が記載されている。より具体的に説明すると、情報携帯端末装置の使用する限定されたエリア外（通信できないエリア）に情報携帯端末装置が持ち出されると、その情報携帯端末装置内の記憶装置の情報を消去する装置である。
【０００６】
また、例えば、特許文献３には、携帯電話端末装置を紛失等した場合に、その不正使用を防止するために、ネットワークを介して該端末装置を使用不能とする技術が記載されている。より具体的に説明すると、非接触ＩＣタグ内蔵携帯電話の紛失、盗難時に、ユーザは、非接触ＩＣタグ内蔵携帯電話と１対１に対応するＩＤ情報を持つ非接触ＩＣタグカードを非接触ＩＣタグリーダに読み取らせる。携帯電話管理サーバは、該ＩＤ情報に基づいて紛失等した非接触ＩＣタグ内蔵携帯電話の発信を制限し、かつ非接触ＩＣタグ内蔵携帯電話をロック状態へ遷移させる。これにより、紛失等した非接触ＩＣタグ内蔵携帯電話の第三者による不正使用や個人情報漏洩の防止をより迅速に行うことができる。特に、非接触ＩＣタグリーダが街中の携帯電話販売店や駅構内に設置されることにより、その効果を飛躍的に向上させることができる。
【０００７】
また、例えば、特許文献４には、ネットワークを介した遠隔からの指令に基づいて、他人が移動通信端末装置が格納する情報にアクセスできないようにする技術が記載されている。より具体的に説明すると、移動通信端末の演算処理部は、オペレーティングシステムの実行環境下において、第３のプログラムに基づいて、送受信部を介して他の通信端末から移動通信端末をロックする旨の要求を待ち受ける。該要求を受け付けたときに、演算処理部は、第１の情報を移動通信端末をロックすることを示す情報に書き換えると共に、移動通信端末を再起動する。また、移動通信端末が起動されたときに、第１のプログラムに基づいて、第１の情報が移動通信端末をロックしないことを示す場合にオペレーティングシステムを実行する。なお、第１の情報が移動通信端末をロックすることを示す場合にはオペレーティングシステムを実行しない。
【０００８】
また、例えば、特許文献５には、場所ごとの通信状況の解析を可能にするエリア解析システムが記載されている。より具体的に説明すると、無線端末は、ＧＰＳ信号を受信して位置情報を取得する手段と、当該位置情報を無線ルータへ送信する手段とを含む。無線ルータは、無線端末が送信した位置情報を取得する手段と、当該位置情報と、選択したＷＡＮ側回線と、そのＷＡＮ側回線を利用した通信データ量を含む通信状況を所定の登録周期で通信状況リストとして登録する手段含む。また、無線ルータは、当該通信状況リストを所定の周期で複数のＷＡＮ側回線の１つを利用してネットワークに接続されるエリア解析サーバへ送信する手段を含む。エリア解析サーバは、無線ルータが１以上存在するときに、各無線ルータから送信される各通信状況のリストに基づき、位置情報に応じた区画及びＷＡＮ側回線ごとの通信データ量を積算した区画情報リストを作成する（区画情報リスト作成手段）。
【先行技術文献】
【特許文献】
【０００９】
【特許文献１】特許第２９６５２３４号公報
【特許文献２】特開２００１−２８７８２号公報
【特許文献３】特許第４３７２０３４号公報
【特許文献４】特許第４９５３３１８号公報
【特許文献５】特開２０１３−２６９０６号公報
【発明の概要】
【発明が解決しようとする課題】
【００１０】
ところで、移動通信端末のリモートロックシステムは、移動通信端末が紛失や盗難に遭遇した場合に、使用可能な他の通信端末から、直接若しくはサーバ経由で、移動通信端末のアドレスに発呼するものである。そして、この発呼により、移動通信端末をロックするように構成している。
【００１１】
しかしながら、モバイルルータ等の移動通信端末の場合には、装置自体にはメール、着信機能を有しないものも少なくない。そのような移動通信端末にも重要な個人情報等が保存されているため、紛失や盗難に遭遇した場合には、メール、着信機能を有する一般的な移動通信端末と同様に直ちにロックできる仕組みが必要となる。
【００１２】
なお、特許文献１〜４に開示されている技術は、移動通信端末が紛失や盗難に遭遇した場合に、やはり、直接若しくはサーバ経由で、移動通信端末のアドレスに発呼することで、該移動通信端末をロックするものである。よって、モバイルルータ等の、装置自体にはメール、着信機能を有しない移動通信端末には適用することができない技術である。
【００１３】
本発明の目的は、上述した課題を解決するリモートロックシステム、移動通信端末及びリモートロック方法を提供することにある。
【課題を解決するための手段】
【００１４】
上記課題を解決するために、本発明の第１の形態によると、移動通信端末のリモートロックシステムであって、移動通信端末の動作を指定するロック命令を入力し、該ロック命令を含むロック要求を通信網に送信する端末装置と、通信網を介して端末装置からロック要求を受信すると共に、移動通信端末からの定期的な通信である定期通知を受信した時には、該定期通知に対する応答として、移動通信端末に対するロック命令を含めた定期通知応答を移動通信端末に送信するサーバと、サーバから通信網を介して送信された定期通知応答を受信し、該定期通知応答に自己に対するロック命令が含められている場合には、自己の動作を該ロック命令によって指定された状態にする処理を行う移動通信端末とを備える。
【００１５】
本発明の第２の形態によると、移動通信端末であって、サーバに、定期的な通信情報である定期通知を、通信網を介して送信すると共に、該定期通知に対する応答である定期通知応答を前記サーバから受信する通信部と、前記受信した定期通知応答に自己に対するロック命令が含められているか否かを判定すると共に、前記受信した定期通知応答に自己に対するロック命令が含められている場合には、自己の動作を該ロック命令によって指定された状態にする処理を行う処理部とを有する。
【００１６】
本発明の第３の形態によると、移動通信端末のリモートロック方法であって、使用可能な任意の端末装置から、移動通信端末の動作を指定するロック命令を入力し、該ロック命令を含むロック要求を通信網に送信する段階と、通信網に接続されたサーバにおいて、ロック要求を受信すると共に、移動通信端末からの定期的な通信である定期通知を受信した時には、該定期通知に対する応答として、移動通信端末に対するロック命令を含めた定期通知応答を移動通信端末に送信する段階と、通信網に接続された移動通信端末において、サーバから通信網を介して送信された定期通知応答を受信し、該定期通知応答に自己に対するロック命令が含められている場合には、自己の動作を該ロック命令によって指定された状態にする処理を行う段階とを有する。
【００１７】
なお、上記の発明の概要は、本発明の特徴の全てを列挙したものではない。また、これらの特徴群のサブコンビネーションもまた、発明となり得る。
【発明の効果】
【００１８】
以上の説明から明らかなように、この発明によっては、メール、着信機能を有しない移動通信端末であっても、該移動通信端末の動作を一時停止させて該移動通信端末の操作を不能にすることができる。
【００１９】
また、この発明によっては、盗難や紛失に遭遇した移動通信端末の電源がＯＦＦされた場合や、または該移動通信端末の通信が不能となるように設定された場合であっても、移動通信端末の動作を一時停止させて該移動通信端末の操作を不能にすることができる。即ち、このような場合には、その後に、該移動通信端末の電源がＯＮにされ、かつ通信が可能な状態になった場合に、即座に移動通信端末の動作を一時停止させて該移動通信端末の操作を不能にすることができる。
【００２０】
また、移動通信端末のメール機能等が作動していない場合であっても、移動通信端末の動作を一時停止させて該移動通信端末の操作を不能にする機能を有効にすることができる。
【図面の簡単な説明】
【００２１】
【図１】一実施形態に係るリモートロックシステム１００の利用環境の一例を示す図である。
【図２】リモートロックシステム１００の動作シーケンスの一例を示すシーケンス図である。
【図３】移動通信端末１１０の動作を示すフローチャート図である。
【図４】サーバ１０１の動作を示すフローチャート図である。
【発明を実施するための形態】
【００２２】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２３】
図１は、一実施形態に係るリモートロックシステム１００の利用環境の一例を示す。リモートロックシステム１００では、移動通信端末側からサーバへ定期的に実行される通信（定期通知送信）を利用する。即ち、移動通信端末１１０からの定期通知に対するサーバ１０１からの定期通知応答には、移動通信端末１１０向けの通常の通信情報に加えて移動通信端末１１０の動作を停止させるロック命令を含める。これにより、移動通信端末１１０をロック（動作の一時停止状態）させることができるようにしている。
【００２４】
同図において、本実施形態の移動通信端末のリモートロックシステム１００は、インターネット網１０３に接続された、移動通信端末１１０、サーバ１０１、及び通信端末１０２、を備える。なお、移動通信端末１１０は、携帯電話機や携帯情報端末装置を含む一般的な移動通信端末装置として構成することができる。移動通信端末１１０は、本発明に必須の構成要素として、通信部１１と処理部１２を備える。また、サーバ１０１は、本発明に必須の構成要素として、通信部２１と管理部２２を備える。さらに、通信端末１０２は、本発明に必須の構成要素として、通信部３１と入力部３２を備える。
【００２５】
通信部１１，２１，３１は、インターネット網１０３を介して情報を交換することができる。通信部１１，２１，３１は、Ｗｅｂブラウザを起動する構成としても良い。なお、通信端末１０２は、携帯電話機や携帯情報端末装置を含む移動通信端末装置であっても良いし、パーソナルコンピュータ等の据え置き型の通信端末装置であっても良い。あるいは、通信端末１０２は、街角等に設置される情報端末装置であっても良い。
【００２６】
本実施形態の移動通信端末のリモートロックシステム１００は、移動通信端末１１０の紛失、盗難時においては、その不正利用を防ぐためのリモートロック機能を実現する。このリモートロック機能は、上述のとおり、移動通信端末１１０とサーバ１０１との間の定期通信を利用して実現するので、移動通信端末１１０が、メール受信や着信といった処理が使用できない端末装置であっても適用することができる。
【００２７】
移動通信端末１１０は、より具体的には、以下の条件を満たすことが必要である。（１）ネットワークを介して他の通信端末に接続できること。（２）ユーザが持ち運ぶことができる情報機器であること。（３）固有のＭＡＣアドレスを有していること。（４）ユーザ操作が行えるＧＵＩを有していること。（５）ＧＰＳ（グローバルポジショニングシステム）にて位置情報が取得できること。なお、本実施形態では、以下、移動通信端末１１０の実例として、モバイルルータを想定する。
【００２８】
サーバ１０１は、より具体的には、以下の条件を満たすことが必要である。（１）ネットワークを介して他の通信端末装置に接続可能であること、（２）移動通信端末１１０及び通信端末１０２からの情報を十分に保持できること、（３）Ｗｅｂサーバとなり得る機能を備えていること。
【００２９】
通信端末１０２は、より具体的には、以下の条件を満たすことが必要である。（１）ネットワークを介して他の通信端末に接続できること、（２）Ｗｅｂブラウザを介してＷｅｂページの閲覧ができること。なお、本実施形態では、以下、通信端末１０２の実例として、ノートＰＣ（パーソナルコンピュータ）を想定する。
【００３０】
なお、本発明の移動通信端末のリモートロックシステム１００としては、以下の条件を満たすことが必要である。（１）移動通信端末１１０とサーバ１０１とは、インターネット網１０３を介してデータ通信が可能であること、（２）通信端末１０２とサーバ１０１とは、インターネット網１０３を介して通信可能であること。
【００３１】
図２は、リモートロックシステム１００全体の動作シーケンスの一例を示すシーケンス図である。本発明の実施形態に係る移動通信端末のリモートロックシステム１００は、図２に例示するように、先ず、移動通信端末１１０が、サーバ１０１に対して、端末登録要求Ｓ２０１の実施による端末登録要求の送信を行う。サーバ１０１は、この端末登録要求をチェックし、登録を許可する場合は、共有情報２０７への書き込みＳ２１８の実施を含む登録処理を行う。次に、サーバ１０１は、端末登録応答Ｓ２０２を実施して、移動通信端末１１０に対して端末登録応答を送信する。この端末登録応答を受けた移動通信端末１１０は、該端末登録応答を確認してから、定期通信を開始する。
【００３２】
この定期通信では、まず、移動通信端末１１０は、サーバ１０１に対する定期通知送信Ｓ２０３を行う。これを受けたサーバ１０１は、書き込みＳ２２８を行って、定期通知情報を含む情報を共有情報２０７に書き込む。また、これと共に、サーバ１０１は、読み出しＳ２１９を行って、定期通知応答の作成に必要な情報を共有情報２０７から読み出し、定期通知応答を作成する。次に、サーバ１０１は、移動通信端末１１０に対する定期通知応答Ｓ２０４を行い、移動通信端末１１０に定期通知応答を送信する。移動通信端末１１０は、この定期通知応答を受信する。なお、このような定期通知送信Ｓ２０３と、定期通知応答Ｓ２０４とは、その後も定期的に実行される。
【００３３】
この間、通信端末１０２から、サーバ１０１に対してロック要求Ｓ２１６によるロック要求が送信されると、サーバ１０１は、書き込みＳ２３８を行って、ロック要求を含む情報を共有情報２０７の一部として書き込む。また、これと共に、サーバ１０１は、サーバ１０１からの移動通信端末１１０に対する次の定期通知応答Ｓ２０４による定期通知応答にはロック処理の指示を含める。この定期通知応答Ｓ２０４による定期通知応答を受信すると、移動通信端末１１０は、該受信した通知応答にロック処理の指示が含められていることを検知してロック処理Ｓ２０８（図２）を行う。その後、通信端末１０２から、サーバ１０１に対してロック解除要求Ｓ２１７（図２）によるロック解除要求が送出されると、サーバ１０１は、書き込みＳ２４８を行って、ロック解除要求を含む情報を共有情報２０７の一部として書き込む。また、これと共に、サーバ１０１は、移動通信端末１１０に対する次の定期通知応答Ｓ２０４による定期通知応答にロック解除処理の指示を含める。この定期通知応答Ｓ２０４による定期通知応答を受信すると、移動通信端末１１０は、受信した定期通知応答Ｓ２０４による定期通知応答にロック解除処理の指示が含められていることを検知してロック解除処理Ｓ２０９を行う。
【００３４】
動作シーケンスにおいて、サーバ１０１と移動通信端末１１０との間では、以下に示すデータ通信を行う。まず、端末登録要求Ｓ２０１として、移動通信端末１１０からサーバ１０１に対して、移動通信端末１１０のＩＭＥＩ、ＩＤ、及びパスワードを登録するためのデータを送信する。この送信は、初期設定動作として、最初に１度だけ行えば良い。端末登録要求Ｓ２０１に対し、サーバ１０１は、少なくとも、その許諾の有無（ＯＫまたはＮＧ）を示す情報（端末登録応答Ｓ２０２）を、移動通信端末１１０に応答する。
【００３５】
なお、本システムでは、移動通信端末１１０とサーバ１０１とは、定期的に交信するものとするが、移動通信端末１１０からサーバ１０１に対して定期的に送信される定期通知には、少なくとも、以下の情報を含めるものとする。（１）ＩＭＥＩ、（２）位置情報、（３）ロック状態（ロック／未ロック）。また、サーバ１０１から移動通信端末１１０に対して定期的に送信される定期通知応答には、少なくとも、以下の情報を含めるものとする。（１）応答（ＯＫ／ＮＧ）、（２）ロック命令（ロック要求／ロック解除要求）。
【００３６】
サーバ１０１の機能は、データ受信プログラム２０５（図２）と、Ｗｅｂサーバ機能２０６（図２）との２つの処理を実行することである。Ｗｅｂサーバ機能２０６は、通信端末１０２からＨＴＴＰに則り、通信端末１０２からのアクセスが有った場合に適切なＷｅｂページを通信端末１０２に表示する（詳細は後述する）。なお、データ受信プログラム２０５及びＷｅｂサーバ機能２０６の２つの処理はパラレルで実行する。また、この２つの処理の各々は、共有情報２０７（図２）の内、それぞれの処理に対応した情報を使用する。この共有情報２０７は、この２つの処理の両方から、書き込みＳ２２８（図２）、及び読み出しＳ２１９（図２）の処理が可能であるものとする。
【００３７】
この共有情報２０７は、少なくとも以下の情報を備えるものとする。（１）ＩＭＥＩ：ＩＤに紐付けされている、（２）ＩＤ（ＩＤの重複は認めない）、（３）パスワード及びＩＤに紐付けされている、（４）移動通信端末１１０から送信された情報：ＩＭＥＩに紐付けされている、（５）ロック命令及びＩＭＥＩに紐付けされている（ロック要求またはロック解除要求を送信するための構成）。
【００３８】
なお、通信端末１０２から、管理部２２が、通信部２１を介して、ロック要求Ｓ２１６（図２）またはロック解除要求Ｓ２１７（図２）等による指示を受信した場合、この共有情報２０７に含まれるロック命令（ロック要求／ロック解除要求）を更新するものとする。より具体的には、ユーザからロック要求Ｓ２１６によるロック要求が送信された場合は、ロック命令をロック要求にし、ロック解除要求Ｓ２１７によるロック解除要求が指示された場合は、ロック命令をロック解除要求を指示する命令にする。
【００３９】
Ｗｅｂサーバ機能２０６は、Ｗｅｂページを通信端末１０２に表示するが、その表示内容は以下に示すものとする。（１）ＩＤ、パスワード入力画面Ｓ２１０（図２）、（２）ＷｅｂブラウザからアクセスＳ２１３（図２）が実施された場合に表示するページ。また、（３）ＩＤとパスワードの入力画面（管理部２２は、該入力画面を介して入力されたＩＤが実際に存在し、かつパスワードが一致した場合にのみ、他の画面を表示する）、（４）情報閲覧画面Ｓ２１１。また、（５）ＩＤに紐付けされたＩＭＥＩを有する移動通信端末（ここでは移動通信端末１１０）の位置情報とロック状態の表示。さらに、（６）ＩＤに紐付けされたＩＭＥＩを有する移動通信端末（ここでは移動通信端末１１０）へのロック要求またはロック解除要求を実行できるようにするためのロック要求画面Ｓ２１２（図２）。
【００４０】
以下、図２を参照し、通信端末１０２を介したユーザの操作について説明する。まず、ＷｅｂブラウザからアクセスＳ２１３では、ユーザは、Ｗｅｂブラウザを介してサーバ１０１に対してアクセスを行う。ＩＤ、パスワード入力Ｓ２１４では、ユーザは、移動通信端末１１０に登録したＩＤとパスワードとを入力部３２の機能を使用して入力し、通信部３１を介してサーバ１０１へ送信する。これにより、サーバ１０１は、情報閲覧画面Ｓ２１１を、通信端末１０２の図示しない表示部に表示するので、ユーザは、表示された情報の閲覧が可能となる。
【００４１】
ロック要求画面にアクセスＳ２１５では、ユーザは、ロック要求画面を介して、サーバ１０１にアクセスを行なうために、ロック要求画面の提供をサーバ１０１へ要求する。これにより、ロック要求画面が提供されると、該ロック要求画面を介してロック要求Ｓ２１６（またはロック解除要求Ｓ２１７）が実施され、サーバ１０１へロック要求が送信される。
【００４２】
図３は、移動通信端末１１０の動作を示すフローチャート図である。以下、図１〜２を参照し、図３に示すフローチャートを使用して移動通信端末１１０の動作を説明する。
【００４３】
まず、ステップＳ１で、移動通信端末１１０の電源が投入されると、移動通信端末１１０が起動する。この後、ステップＳ２で、処理部１２（図１）が、移動通信端末１１０はサーバ１０１に対して登録済の端末装置であるか否かを確認し、移動通信端末１１０が登録済の端末装置である場合は次のステップＳ３に進む。また、移動通信端末１１０が登録済でない端末装置である場合、処理部１２は、ステップＳ９に移る（ステップＳ９については後述する）。
【００４４】
ステップＳ３では、処理部１２と通信部１１とが、定期通信処理Ｓ３０４を実行する。より具体的には、まず、処理部１２は通信部１１を介して定期通知送信Ｓ２０３（図２）を行って定期通知をサーバ１０１に送信する（なお、この定期通知が送信できなかった場合、データは蓄積しておいて、次回送信時に纏めて送信することが望ましい）。次に、処理部１２は通信部１１を介して定期通知応答Ｓ２０４による定期通知応答を受信し、一定時間ｗａｉｔする。
【００４５】
その後、ステップＳ４で、処理部１２は、定期通知応答Ｓ２０４による定期通知応答に含まれているロック命令の内容を検証し、該ロック命令がロック要求だった場合、ステップＳ５に進んで処理部１２がロック処理Ｓ２０８（図２）を実行する。なお、該ロック命令がロック要求ではなかった場合、ステップＳ１０に移って処理部１２が定期通信（ステップＳ３と同じ処理）を実行する。
【００４６】
ステップＳ５では、処理部１２は、ロック処理Ｓ２０８を実行し、その後、ステップＳ６に移る。なお、このロック処理Ｓ２０８においては、処理部１２は、移動通信端末１１０の図示しない表示部に任意の内容の画面を表示する（これ以後は、移動通信端末１１０の操作が一切できなくなるように制御することが望ましい）。また、その他、本発明に関わらない機能であっても、移動通信端末１１０に必要なロック処理が他に有れば、それを行うものとする。なお、図２では、このロック処理の結果として操作制限が行われていることを、「ロック中２２０」を表示することで表現している。ロック解除処理Ｓ２０９が実行されるまでは、この「ロック中２２０」が表示される。
【００４７】
ステップＳ６では、処理部１２は、ロック解除処理Ｓ２０９（図２）を実行し、その後、ステップＳ３に戻る。なお、このロック解除処理Ｓ２０９では、処理部１２は、移動通信端末１１０に表示した上述の任意内容の画面を解除すると共に、移動通信端末１１０に対する通常の操作を可能にする。
【００４８】
ステップＳ９では、処理部１２が、サーバ１０１に対して移動通信端末１１０のＩＤとパスワードを登録する。より具体的には、処理部１２は、移動通信端末１１０のユーザＩＦを使用し、ＩＤとパスワードを決定する。次に、処理部１２は、通信部１１を介して端末登録要求Ｓ２０１（図２）を実行する。また、処理部１２は、その応答として、サーバ１０１から、端末登録応答Ｓ２０２（図２）による端末登録応答を受信し、その後、ステップＳ３に移る。
【００４９】
図４は、サーバ１０１の動作を示すフローチャート図である。以下、図１〜３を参照し、図４に示すフローチャートを使用してサーバ１０１の動作を説明する。
【００５０】
サーバ１０１が起動されると、まず、ステップＳ２１で、管理部２２は、データ受信プログラム２０５を実行し、通信部２１を介して移動通信端末１１０からの通信データ（ここでは端末登録要求Ｓ２０１）を受信する。次に、ステップＳ２２で、管理部２２は、受信した通信データが端末登録要求であるか否かを検証する。受信した通信データが端末登録要求であれば、ステップＳ２５に移動する。受信した通信データが端末登録要求でなければ、ステップＳ２３に進む。
【００５１】
ステップＳ２３では、管理部２２は、受信した情報を共有情報２０７として蓄積する。より具体的には、受信した通信データが、定期通知であった場合は、受信した通信データに含まれる位置情報とロック状態の指令情報とを共有情報２０７の一部として書き込む。次に、ステップＳ２４では、管理部２２は、定期通知応答Ｓ２０４（図２）による定期通知応答を移動通信端末１１０に送信し、その後、ステップＳ２１に戻る。
【００５２】
ステップＳ２５では、管理部２２は、受信した通信データに含まれるＩＤとパスワードとを、ＩＭＥＩをキーにして共有情報２０７に登録する。次に、ステップＳ２６では、管理部２２は、端末登録応答Ｓ２０２を実施して端末登録応答を送信し、その後、ステップＳ２１に戻る。
【００５３】
この実施形態によれば、移動通信端末１１０の盗難時や紛失時に、ユーザは、使用可能な他の端末装置からの簡単な操作により、移動通信端末１１０の動作をロックさせ、第三者による操作を不能にすることができる効果が有る。
【００５４】
また、移動通信端末１１０の電源がＯＦＦにされていたり、または通信不能にされていたりした場合であっても、次回に電源がＯＮとなり、かつサーバ１０１との通信が可能となった時点で、直ちに移動通信端末１１０の動作をロックすることができる効果が有る。
【００５５】
さらに、移動通信端末１１０の状態や位置情報を、サーバ１０１を介して確認することができる効果が有る（特に、該位置情報は移動通信端末１１０の発見に役立つ）。
【００５６】
なお、上述の移動通信端末１１０とサーバ１０１との通信は、定期通信機能を使用して行うので、メール等の通信機能を必要としない。
【００５７】
（その他の実施の形態）：本発明の他の実施形態として、紛失や盗難に遭遇した移動通信端末については、ロック機能によりロックするだけではなく、ハードディスクのフォーマットを含む全ての設定を初期値に戻す等の対策を施すことができる。さらに、この場合、任意の通信端末に表示されたＷｅｂブラウザを介して、ハードディスクのフォーマットを含む全ての設定を初期化することができる。即ち、任意の通信端末より指示を入力することで、紛失や盗難に遭遇した移動通信端末の設定をすべて消去させることもできる。
【符号の説明】
【００５８】
１１  通信部
１２  処理部
２１  通信部
２２  管理部
３１  通信部
３２  入力部
１００  リモートロックシステム
１０１  サーバ
１０２  通信端末
１０３  インターネット網
１１０  移動通信端末
【図１】
2015015675.tif 000003
【図２】
2015015675.tif 000004
【図３】
2015015675.tif 000005
【図４】
2015015675.tif 000006